(57)【特許請求の範囲】
【請求項１】
入力された可聴周波数信号の異なる特性を、これら特性にそれぞれ対応した複数の操作パラメータに応じて変化させる信号処理手段と、
上記複数の操作パラメータをそれぞれが発生する複数の操作パラメータ発生手段と、
上記各操作パラメータが上記各操作パラメータ発生手段から供給され、同一の上記特性に対応する上記操作パラメータが上記各操作パラメータ発生手段から重複して供給されたとき、重複する上記操作パラメータのうち１つを選択して上記信号処理手段に供給する決定手段とを、
具備し、
上記各操作パラメータ発生手段は、いずれもが、上記各操作パラメータ用の複数の操作子を有し、上記各操作子の操作によって、上記各操作子に対応する上記操作パラメータを発生し、
上記各操作パラメータ発生手段の上記各操作子ごとに検知手段が設けられ、これら検知手段は、対応する上記操作子が操作されている間、検知信号を上記決定手段に供給し、
上記決定手段は、上記各パラメータ発生手段の上記各操作子のうち同一の上記特性用の上記操作子に対応する上記各検知手段からそれぞれ上記検知信号が供給されたとき、先に供給された上記検知信号を供給している上記検知手段に対応する上記操作子の操作による上記操作パラメータを、上記信号処理手段に供給し、上記先に供給された上記検知信号が消失すると、後から供給された上記検知信号を供給している上記検知手段に対応する上記操作子の操作による上記操作パラメータを、上記信号処理手段に供給する
信号処理装置。
【請求項２】
請求項１記載の信号処理装置において、上記各操作パラメータ発生手段の上記各操作子のうち互いに対応する一部のものがいずれも操作されていない状態において、上記互いに対応する一部の操作子の一つが操作されると、その操作量に応じて、上記互いに対応する一部の操作子の他のものが、駆動手段によって駆動される信号処理装置。
【請求項３】
請求項１記載の信号処理装置において、上記各操作パラメータ発生手段の上記各操作子のうち互いに対応する一部のものがいずれも操作されている状態において、先に操作が中止された操作子は、まだ操作されている操作子の操作量に応じて、駆動手段によって駆動される信号処理装置。
【請求項４】
請求項１記載の信号処理装置において、上記各操作パラメータ発生手段間に、通信手段を設けた信号処理装置。
【発明の詳細な説明】
【０００１】
【発明の属する技術分野】
本発明は、可聴周波数信号の特性、例えばレベル、周波数特性等を調整する信号処理装置に関する。
【０００２】
【従来の技術】
従来、信号処理装置を備える装置としては、例えば、オーディオミキサーがある。オーディオミキサーは、例えば図５に示すようなコンサートホール等で使用されることがある。オーディオミキサーの１台の操作部２が、コンサートホールの客席の或る部分ａに設置され、操作者がホールの音響状態を聞きながら、操作部２の各種操作子の操作を行う。これによってレベルや周波数特性を調整した音声信号が、スピーカ４から客席に向かって放射される。
【０００３】
【発明が解決しようとする課題】
しかし、コンサートホール内の音響状態は、ホール内の場所によって異なる。例えば、操作部２が設置されている１階の客席ａの付近と、２階席ｂの付近では、周波数特性や残響が大きく異なる。操作者は、客席のいずれの位置でも良好な音響特性が得られるように、操作部２の操作子を操作する必要がある。操作者は、客席ａの付近にいるので、客席ａ付近の音響状態は容易に把握することができる。しかし、例えば客席ｂの付近の音響状態を、操作部２の位置にいて、把握することは容易ではない。客席ｂの音響状態を操作者が把握しようとすると、公演が行われている最中に、客席ｂまで操作者が行かねばならない。公演の進行中には、その進行に合わせて、操作部２の操作が必要であり、操作者が公演中に客席ｂまで移動することは不可能である。仮に、補助者に操作を任せて、客席ｂまで操作者が移動したとしても、ミキサーの調整は、その調整の結果を操作者が聴きながら行うのが普通であるので、操作部２の位置に操作者が戻ってきてから、客席ｂで聴いた音響状態の記憶だけを基にして、適切に調整を行うことは困難である。
【０００４】
本発明は、例えばホール等において、様々な位置での音響状態を公演の進行状態に応じて適切に調整することができる信号処理装置を提供することを目的とする。
【０００５】
【課題を解決するための手段】
請求項１記載の発明は、入力された可聴周波数信号の異なる特性を、これら特性にそれぞれ対応した複数の操作パラメータに応じて変化させる信号処理手段と、上記複数の操作パラメータをそれぞれが発生する複数の操作パラメータ発生手段も有している。また、請求項１記載の発明は、上記各操作パラメータが上記各操作パラメータ発生手段から供給される決定手段も有している。この決定手段は、同一の上記特性に対応する上記操作パラメータが上記各操作パラメータ発生手段から重複して供給されたとき、重複する上記操作パラメータのうち１つを選択して上記信号処理手段に供給する。上記各操作パラメータ発生手段は、いずれもが、上記各操作パラメータ用の複数の操作子を有し、上記各操作子の操作によって、上記各操作子に対応する上記操作パラメータを発生する。上記各操作パラメータ発生手段の上記各操作子ごとに検知手段が設けられている。これら検知手段は、対応する上記操作子が操作されている間、検知信号を上記決定手段に供給する。上記決定手段は、上記各パラメータ発生手段の上記各操作子のうち同一の上記特性用の上記操作子に対応する上記各検知手段からそれぞれ上記検知信号が供給されたとき、先に供給された上記検知信号を供給している上記検知手段に対応する上記操作子の操作による上記操作パラメータを、上記信号処理手段に供給し、上記先に供給された上記検知信号が消失すると、後から供給された上記検知信号を供給している上記検知手段に対応する上記操作子の操作による上記操作パラメータを、上記信号処理手段に供給する。
【０００６】
請求項１記載の発明によれば、複数の操作パラメータ発生手段が、同一の特性の操作パラメータを競合して発生しても、決定手段によって決定された操作パラメータのみによって特性が調整される。決定手段は、先に操作された操作子からの操作パラメータを優先する。
【００１１】
請求項２記載の発明は、請求項１記載の発明において、上記各操作パラメータ発生手段の上記各操作子のうち互いに対応する一部のものがいずれも操作されていない状態において、上記互いに対応する一部の操作子の一つが操作されると、その操作量に応じて、上記互いに対応する一部の操作子の他のものが、駆動手段によって駆動されるものである。
請求項３記載の発明は、請求項１記載の発明において、各操作パラメータ発生手段の上記各操作子のうち互いに対応する一部のものがいずれも操作されている状態において、先に操作が中止された操作子は、まだ操作されている操作子の操作量に応じて、駆動手段によって駆動される信号処理装置。
【００１３】
請求項４記載の発明は、請求項１記載の信号処理装置において、上記各操作パラメータ発生手段間に、通信手段を設けたものである。
【００１４】
請求項４記載の発明によれば、各操作パラメータ発生手段間において、通信が可能であるので、各操作パラメータ発生手段の操作者が、互いに連絡をとりながら、音響状態の調整を行える。
【００１５】
【発明の実施の形態】
本発明をオーディオミキサーに実施した１実施の形態を図１乃至図３に示す。図１（ａ）に示すように、このオーディオミキサーは、例えばＤＳＰによって構成された信号処理部１０を有している。この信号処理部１０は、例えば合計６４の入力チャンネルＣｈ１乃至ＣＨ６４を有し、これら各入力チャンネルＣｈ１乃至Ｃｈ６４には、入力されたオーディオ信号の各特性、例えば周波数特性、レベルを調整するためのフィルタ１２やフェーダ１４がそれぞれ設けられている。また、信号処理部１０は、例えば合計１６の出力チャンネルＣｈ１乃至Ｃｈ１６も有している。これら出力チャンネルＣｈ１乃至Ｃｈ１６にも、オーディオ信号の各特性、例えば周波数特性、レベルを調整するためのフィルタ１６やフェーダ１８がそれぞれ設けられている。
【００１６】
これら各入力チャンネルＣｈ１乃至Ｃｈ６４のオーディオ信号は、各出力チャンネルＣｈ１乃至Ｃｈ１６のうち、予め定められたものに、マトリクス２０を介して供給される。例えば入力チャンネルＣｈ１、Ｃｈ５のオーディオ信号は、出力チャンネルＣｈ１に供給され、入力チャンネルＣｈ３、Ｃｈ４のオーディオ信号は、出力チャンネルＣｈ２に供給される。以下、同様に他の入力チャンネルのオーディオ信号も、予め定められた出力チャンネルに供給される。
【００１７】
各入力チャンネルＣｈ１乃至Ｃｈ６４、各出力チャンネルＣｈ１乃至Ｃｈ１６の各フィルタ１２、１６、各フェーダ１４、１８をどのように制御するかを表す操作パラメータや、各入力チャンネルＣｈ１乃至Ｃｈ６４を各出力チャンネルＣｈ１乃至Ｃｈ１６のいずれに接続するかを表すマトリクス情報は、例えばＣＰＵ２２を介して処理部１０に、操作パラメータ発生手段、例えば操作部Ａ、Ｂから供給される。
【００１８】
操作部Ａは、例えば図２に示すように、コンサートホールの１階の客席ａの付近に配置されており、操作部Ｂは、２階の客席ｂの付近に配置されている。これら操作部Ａ、Ｂは、図１に示すようにいずれも同一の構成であり、各入力チャンネルＣｈ１乃至Ｃｈ６４に対応する６４個の入力モジュールと、各出力チャンネルＣｈ１乃至Ｃｈ１６に対応する１６個の出力モジュールとを有している。
【００１９】
図１（ｂ）、（ｃ）に拡大して示されているように、操作部Ａ、Ｂの全ての入力及び出力モジュールは、フィルタ１２または１６の特性を調整するための操作子、例えばロータリエンコーダを有している。これらロータリエンコーダの回転軸には、これを回転させるための回転ツマミ２４、２６が設けられている。同様に、フェーダ１４、１８でのレベルを調整するための操作子、例えばスライド抵抗器が設けられている。このスライド抵抗器には、スライドツマミ２８が設けられており、手での操作に応じて下端（マイナス無限大に相当）から上端（０ｄＢに相当）までスライドする。これらツマミ２４、２６、２８を操作することによって、上述した各操作パラメータが発生する。従って、いずれの入力及び出力チャンネルのフィルタ１２、１６、フェーダ１４、１８も、操作部Ａ、Ｂの対応するツマミの操作によって調整可能である。例えば入力チャンネル１のフィルタ１２、フェーダ１４は、操作部Ａ、Ｂの入力チャンネル１に対応する入力モジュールのツマミ２４、２６、２８によって調整可能で、客席ａ、ｂの音響状態をそれぞれ良好にするように調整が可能である。
【００２０】
しかし、同一のチャンネルの同一の特性を、操作部Ａ、Ｂの双方によって同時に制御しようとする場合がある。このような場合に対処するために、この実施の形態では、次のように構成されている。
【００２１】
操作部Ａ、Ｂの各入力及び出力チャンネルのツマミ２４、２６、２８には、検知手段、例えばタッチセンサ（図示せず）がそれぞれ設けられている。これらツマミに操作者が触れると、そのツマミに触れていることがＣＰＵ２２に報知される。例えば操作部Ａの入力チャンネルＣｈ１用のモジュールの回転ツマミ２４を操作者が操作すると、その旨がＣＰＵ２２に報知される。また、操作者がこの回転ツマミ２４から手を離すと、検知信号は消失する。
【００２２】
ＣＰＵ２２は、タッチセンサからの検知信号が入力されると、そのタッチセンサが設けられている入力または出力モジュールのツマミに対応する、他の操作部の入力または出力モジュールのツマミに操作者が既に触れているか、即ち検知信号が既に入力されているか判断する。
【００２３】
例えば、操作部Ａの入力チャンネルＣｈ１の入力モジュールの回転ツマミ２４に操作者が触れたとき、操作部Ｂの同じ入力チャンネルＣｈ１の入力モジュールの回転ツマミ２４に操作者が既に触れているか判断する。操作部Ｂの入力Ｃｈ１の入力モジュールの回転ツマミ２４に操作者が触れていないと、操作部Ａの入力チャンネルＣｈ１の入力モジュールの回転ツマミ２４を操作者が操作している（触れている）ことによって発生している操作パラメータを、ＣＰＵ２２は、信号処理部１０に供給する。
【００２４】
また、操作部Ｂの入力チャンネルＣｈ１の入力モジュールの回転ツマミ２４に既に操作者が触れていると、操作部Ａの入力チャンネルＣｈ１の入力モジュールの回転ツマミ２４に操作者が触れていても、それによって発生する操作パラメータを、ＣＰＵ２２は信号処理部１０に供給しない。その結果、操作部Ｂの入力チャンネルＣｈ１の入力モジュールの回転ツマミ２４を、手で触れて操作することによって発生している操作パラメータに応じて、入力チャンネルＣｈ１のフィルタ１２は制御される。
【００２５】
このようにＣＰＵ２２が、先に手で触れられているツマミによる制御を優先するように制御しているので、ＣＰＵ２２が決定手段として機能する。また、ＣＰＵ２２が上記のように決定するので、操作子の操作が操作部Ａ、Ｂで競合しても、無秩序状態とはならない。
【００２６】
例えば、後に操作された操作子からの操作パラメータを優先するように構成した場合、先に手で触れた操作子を操作している途中で、後に手で触れた操作子の操作に応じた特性に急激に特性が変化する可能性があり、聴衆に違和感を与えることになる。しかし、先に手で触れた操作子の操作を優先すると、これが操作されている限りは、この操作子の操作に応じた特性に調整されるので、極端な特性の変化は生じないので、聴衆に違和感を与えることはない。
【００２７】
なお、操作部Ａの操作子のみが操作されており、その操作子から手が離された場合には、その操作子によって調整された状態が維持される。
【００２８】
操作部Ａ、Ｂの同じ入力または出力チャンネルのモジュールの同じツマミが、操作部Ｂ側で先に操作者によって触れられており、後で操作部Ａ側で操作者によって触れられた状態が継続し、操作部Ａ側で操作者が手を離すと、そのまま操作部Ｂ側での操作が継続される。上記の競合状態において、先に操作者が触れていた操作部Ｂ側のモジュールのツマミから操作者が手を離すと、ＣＰＵ２２は、検知信号が消失したので、操作部Ａの対応するモジュールのツマミに操作者が手で触れて操作することによって発生している操作パラメータを信号処理部１０に供給する。
【００２９】
このように操作が競合した場合であって、先に操作された操作子の操作が終了した場合、その操作による特性の変化を維持せずに、後に操作された操作子の操作に応じた状態に特性を変化させているので、特性の調整についての最新の要求に対応することができる。
【００３０】
上記の説明は、操作部Ｂ側で既にツマミを操作者が手で触れている場合の説明であるが、逆に操作部Ａ側で既にツマミが操作者によって触れられている場合も、先に触れられている操作部Ａの対応するツマミの操作が優先される。上記の説明は、回転ツマミ２４を例としたが、回転ツマミ２６においても同様に制御される。
【００３１】
スライドツマミ２８の場合も同様に、先に操作されてたツマミが発生している操作パラメータが優先される。但し、スライドツマミ２８の場合、一方の操作部で或るモジュールのスライドツマミ２８が操作されると、それに対応する他方の操作部のモジュールのスライドツマミ２８も、同様に移動される。
【００３２】
例えば、入力チャンネルＣｈ１のモジュールに対応する操作部Ａ、Ｂのスライドツマミ２８双方を、操作者が操作していない状態において、操作部Ａの入力チャンネルＣｈ１のスライドツマミ２８に操作者が触れると、操作部Ｂ側では対応するスライドツマミ２８が操作されていないので、上述したのと同様にして、操作部Ａの入力チャンネルＣｈ１のスライドツマミ２８の操作に応じて発生した操作パラメータによって入力チャンネルＣｈ１のフェーダ１４が調整される。
【００３３】
同時に、操作部Ｂの入力チャンネルＣｈ１のスライドツマミ２８も、操作部Ａの入力チャンネルＣｈ１のスライドツマミ２８の移動と同じように移動する。例えば、操作部Ａの入力チャンネルＣｈ１のスライドツマミ２８が、図３（ａ）に示すように０ｄＢ、即ち上端まで移動していると、操作部Ｂの入力チャンネルＣｈ１のスライドツマミ２８も、上端まで移動する。従って、現在の操作状況を認識することができる。
【００３４】
これは、各スライドツマミ２８が図示しないモータによってスライド可能とされ、一方の操作部のスライドツマミ２８の移動に等しい移動を、他方の操作部の対応するスライドツマミ２８にさせるように、モータに制御信号をＣＰＵ２２が供給することによって行われている。
【００３５】
操作部Ａの入力チャンネルＣｈ１のモジュールのスライドツマミ２８に操作者が触れている状態において、操作部Ｂの入力チャンネルＣｈ１のモジュールのスライドツマミ２８に操作者が触れると、検知信号が発生し、これに応じてＣＰＵ２２は、操作部Ｂの入力チャンネルＣｈ１のモジュールのスライドツマミ２８のモータによる駆動を解除する。従って、操作者は、操作部Ｂの入力チャンネルＣｈ１のモジュールのスライドツマミ２８を、モータによって駆動されていた位置から自由に移動させることができ、例えば図３（ｂ）に示すようにマイナス無限大、即ち下端までスライドツマミ２８を移動させることができる。
【００３６】
但し、先に操作部Ａの入力チャンネルＣｈ１のモジュールのスライドツマミ２８に操作者が触れていて、かつ触れている状態を維持しているので、入力チャンネルＣｈ１のフェーダ１４は、操作部Ａの入力チャンネルＣｈ１のモジュールのスライドツマミ２８の操作に応じて制御されている。即ち、０ｄＢの状態に制御される。
【００３７】
この状態において、操作部Ｂの入力チャンネルＣｈ１のモジュールのスライドツマミ２８から操作者が手を離すと、再びモータ駆動され、このスライドツマミ２８は、上端まで移動する。
【００３８】
また、操作部Ａ、Ｂの入力チャンネルＣｈ１のモジュールのスライドツマミ２８に操作者が触れている場合において、操作部Ａの入力チャンネルＣｈ１のモジュールのスライドツマミ２８から、操作者が手を離すと、検知信号が消失するので、入力チャンネルＣｈ１のフェーダ１４は、操作部Ｂの入力チャンネルＣｈ１のモジュールのスライドツマミ２８の操作に応じて制御される。即ち、マイナス無限大に制御される。同時に、操作部Ａの入力チャンネルＣｈ１のモジュールのスライドツマミ２８は、モータによってマイナス無限大まで移動される。
【００３９】
このように各操作部Ａ、Ｂの各モジュールのスライドツマミは、操作者が手で触れていない状態では、他方の操作部の対応するスライドツマミが操作されていると、その他方の操作部の対応するスライドツマミの操作状態と同じ状態とされ、他方の操作部での操作状態が容易に分かる。また、操作部Ａの操作子のみが操作されていて、その操作子から手が離された場合にも、操作部Ｂの対応する操作子は、手が離された操作部Ｂの操作子と同じ位置にある。従って、操作部Ｂにおいて操作するために、操作部Ｂの対応する操作子に手を触れたとき、先の操作部Ａでの操作子の操作状態と同じ状態から操作が行われるので、急激に音響状態が変化することはない。
【００４０】
第２の実施の形態を図４に示す。この実施の形態では、第１の実施の形態の操作部Ａ、Ｂ間に通信回路３０、３２を設けたものである。第１の実施の形態と同等部分には同一符号を付して、その説明を省略する。通信回路３０、３２には、それぞれマイクロホン３４、３６とスピーカ３８、４０が設けられており、これらを利用して、操作部Ａ、Ｂ間で通話を行うことができる。よって、操作部Ａ、Ｂの操作者間で連絡を取り合いながら、音響状態の調整を行うことができる。
【００４１】
上記の両実施の形態では、操作部をＡ、Ｂの２つ設けたが、３つ以上の操作部を設けることもできる。この場合、操作が競合した場合、最初に操作された操作子での操作を優先し、この操作された操作子から操作者の手が離れた場合には、２番目に操作者が操作した操作子での操作を行い、この２番目に操作された操作子からも手が離れると、３番目に操作された操作子での操作を行うようにすることができる。
【００４２】
また、上記の両実施の形態では、信号処理部１０は、操作部Ａ、Ｂとは別個に設けられているように図示したが、操作部Ａ、Ｂいずれかの内部に設けるようにしてもよい。また、各操作部の各モジュールの各ツマミまたはその近傍に、他方の操作部の対応するツマミに操作者が触れているか否かを表示するＬＥＤ等の表示手段を設けてもよい。これは、例えばツマミに操作者が触れたときに発生される検知信号を使用すれば、容易に実現できる。
【００４３】
また、上記の各実施の形態では、各モジュールのツマミ２４、２６、２８の全ての操作について、操作部Ａ、Ｂにおいて操作が競合する場合の処理について説明したが、特定のツマミに対してのみ操作が競合した場合に、先に操作されたツマミの操作を優先するように構成することもできる。また、上記の両実施の形態では、本願発明をオーディオミキサーに実施したが、オーディオ信号の特性を調整する機器であれば、オーディオミキサー以外の機器にも使用することができる。
【００４４】
【発明の効果】
以上のように、請求項１記載の発明によれば、複数の操作パラメータ発生手段によって、可聴周波数信号の各特性を調整することができ、例えばコンサートホール等の様々な位置に、それぞれ操作パラメータ発生手段を配置することによって、これら様々な位置の音響状況を把握しながら、音響状態を最適に調整することができる。
【００４５】
さらに、例えば複数の操作パラメータ発生手段が、同一の特性の操作パラメータを発生したとしても、即ち競合したとしても、決定手段が決定した操作パラメータ発生手段の操作パラメータによって特性が調整される。従って、複数の操作パラメータ発生手段からの操作パラメータが競合したとしても、一定の規則に従って処理されるので、各特性の調整状況に混乱が生じることはない。
【００４６】
決定手段は、同一の特性に対する操作パラメータが競合した場合、先に操作された操作子からの操作パラメータを優先する。例えば後から操作された操作子からの操作パラメータを優先させた場合には、先に操作された操作子がまだ操作中であっても、後で操作された操作子からの操作パラメータによる調整に切り換えられるので、特性の変化が急激に起こり、聴衆が違和感を感じる。しかし、請求項１記載の発明によれば、先に操作された操作子が操作されている限りは、その操作に応じた調整が行われているので、音響状況が急激に変化することがなく、聴衆が違和感を感じることはない。
【００４７】
請求項２記載の発明によれば、操作パラメータ発生手段の対応する操作子が既に操作パラメータを発生していると、この操作子の操作量に応じて、別の操作パラメータ発生手段の対応する操作子が駆動手段によって移動されるので、先に操作されている操作子の操作状況を把握することができるし、先に操作されていた操作子から手が離された後に、別の操作部の操作された操作子による操作に切り換えられても、後に操作された操作子を先に操作された操作子と同じ位置から操作することができるので、急激に音響状態が変化することはない。
【００４８】
請求項３記載の発明によれば、操作パラメータ発生手段間において、通信が可能であるので、両操作パラメータ発生手段の操作者が、互いに連絡を取りながら、音響状態を調整を行え、それぞれの場所について円滑に良好な音響状態とすることができる。
【図面の簡単な説明】
【図１】本発明による信号処理装置を実施したオーディオミキサーの第１の実施の形態のブロック図である。
【図２】同第１の実施の形態の操作部Ａ、Ｂの配置状態を示す図である。
【図３】同第１の実施の形態における操作部のモジュールの操作状態を示す図である。
【図４】同第２の実施の形態のブロック図である。
【図５】従来のオーディオミキサーの操作部の配置を示す図である。
【符号の説明】
１０  信号処理部（信号処理手段）
１２  １６  フィルタ
１４  １８  フェーダ
２２  ＣＰＵ（決定手段）
２４  ２６  回転ツマミ（操作子）
２８  スライドツマミ（操作子）
Ａ  Ｂ  操作部（操作パラメータ発生手段）
【図１】
0003907744.tif 000002
【図２】
0003907744.tif 000003
【図５】
0003907744.tif 000004
【図３】
0003907744.tif 000005
【図４】
0003907744.tif 000006